(57)【要約】【課題】カレンダー上で予め決められた平日、休日に拘りなく、任意の日付を個人的に決めた平日、休日に設定することができ、以降、この設定した平日、休日を区別して時刻アラーム報知条件を設定できるようにすること。【解決手段】カレンダー上の任意の日付を平日か、休日かのいずれかに設定し、設定された平日と休日を区別して時刻アラーム報知条件を設定する。時計手段が発生する日時情報により現在の日付が前記平日設定か、休日設定かを判定し、その判定結果に対応する時刻アラーム報知条件が前記日時情報の現在時刻に一致するかどうかを判定し、前記時刻アラーム報知条件が現在時刻に一致すると判定された場合に時刻アラームを報知する。【選択図】　図２
2004093340.tif 000002
【特許請求の範囲】
【請求項１】
アラーム報知条件を平日と特定日とに分類して複数記憶するアラーム報知条件記憶手段と、
カレンダーを表示する表示手段と、
該表示手段により表示されたカレンダーより所望の日付を選択する日付選択手段と、
該日付選択手段によって選択された日付を平日若しくは特定日に設定する設定手段と、
該設定手段によって平日に選択されると、前記アラーム報知条件記憶手段に記憶された平日のアラーム報知条件を設定する一方、特定日に選択されると前記アラーム報知条件記憶手段に記憶された特定日のアラーム報知条件を設定するアラーム設定手段と
を具備することを特徴とするアラーム装置。
【請求項２】
アラーム報知条件を平日と特定日とに分類して複数記憶するアラーム報知条件記憶手段と、
各曜日を表示する曜日手段と、
該表示手段により表示された各曜日付て平日か若しくは特定日かを選択する選択手段と、
該選択手段によって平日に選択された曜日を前記アラーム報知条件記憶手段に記憶された平日のアラーム報知条件で報知するように設定する一方、特定日に選択された曜日を前記アラーム報知条件記憶手段に記憶された特定日のアラーム報知条件で報知するように設定するアラーム設定手段と
を具備することを特徴とするアラーム装置。
【請求項３】
アラーム報知条件を平日と特定日とに分類して複数記憶するメモリを備えた電子機器のアラーム設定方法であって、
カレンダーを表示部に表示させる表示ステップと、
該表示ステップにて表示されたカレンダーより所望の日付を選択する日付選択ステップと、
該日付選択ステップにて選択された日付を平日若しくは特定日に設定する設定ステップと、
該設定ステップにて平日に選択されると、前記メモリに記憶された平日のアラーム報知条件を設定する一方、特定日に選択されると前記メモリに記憶された特定日のアラーム報知条件を設定するアラーム設定ステップと
からなることを特徴とするアラーム設定方法。
【請求項４】
アラーム報知条件を平日と特定日とに分類して複数記憶するメモリを備えた電子機器のアラーム設定方法であって、
各曜日を表示部に表示させる表示ステップと、
該表示ステップにて表示された各曜日付て平日か若しくは特定日かを選択する選択ステップと、
該選択ステップにて平日に選択された曜日を前記メモリに記憶された平日のアラーム報知条件で報知するように設定する一方、特定日に選択された曜日を前記メモリに記憶された特定日のアラーム報知条件で報知するように設定するアラーム設定ステップと
からなることを特徴とするアラーム設定方法。
【発明の詳細な説明】
【０００１】
【発明の属する技術分野】
本発明は、携帯電話機等の電子機器に適用され、予め設定した時刻にアラームを報知するアラーム装置及びアラーム設定方法に関する。
【０００２】
【従来の技術】
従来より、カレンダー機能を有する電子機器では時刻アラームが設定できるようになっており、最近では、携帯電話機等の通信機器にもカレンダー機能を備えているものもある。また、このような時刻アラームの設定方法としては、（１）毎日の指定時分、（２）毎週の指定曜日時分、（３）毎年の指定月日時分に設定できるようになっている。
【０００３】
また、予め決めてある平日と休日（土曜日、日曜日、祝日、及び祭日）に対しては、平日アラームと休日アラームを区別して設定する機能を有するものもあり、例えば平日は午前７時に、休日は午前９時にアラームが鳴るように設定しておけば、平日と休日を区別してそれぞれ設定された時刻に毎日アラームを鳴らすこともできる。
【０００４】
【発明が解決しようとする課題】
ところが従来のアラーム装置では、予め決まっている上記休日と平日を区別するのみで、カレンダー上の平日を任意に特定日（休日）に設定したり、逆にカレンダー上の祝日や祭日を個人的に平日に設定し、これらを装置に区別させて平日アラームや休日アラームを設定することができなかった。
【０００５】
例えば、６月２日は木曜日で、土日でも祝日でもないが、学校や会社の創立記念日で個人的には休日である場合がある。このような個人的に休日の日に、従来のアラーム装置はこの６月２日を休日として休日アラームを設定することができず、従来の設定では平日アラームになってしまう。このため、休日のみの時刻アラーム（例えば目覚まし用）を６月２日に設定するためには、上述の時刻アラーム報知条件（１）〜（３）を用いてユーザーがその都度設定を変更し直す必要があるため、設定に大変手間がかかるという問題があった。
【０００６】
また、６月５日が日曜日で休日であるが、会社の都合で平日扱いとなって出勤しなければならないような場合に、この日に平日アラームを設定することができず、従来の設定では休日アラームになってしまい、上記と同様の問題がある。
【０００７】
本発明は、上述の如き従来の課題を解決するためになされたもので、その目的は、カレンダー上で予め決められた平日、休日に拘りなく、任意の日付を個人的に決めた平日、休日に設定することができ、以降、この設定した平日、休日を区別してアラーム報知条件を設定することができるアラーム装置及びアラーム設定方法を提供することである。
【０００８】
【課題を解決するための手段】
この発明の手段は以下の通りである。
【０００９】
請求項１の発明は、アラーム報知条件を平日と特定日とに分類して複数記憶するアラーム報知条件記憶手段と、カレンダーを表示する表示手段と、該表示手段により表示されたカレンダーより所望の日付を選択する日付選択手段と、該日付選択手段によって選択された日付を平日若しくは特定日に設定する設定手段と、該設定手段によって平日に選択されると、前記アラーム報知条件記憶手段に記憶された平日のアラーム報知条件を設定する一方、特定日に選択されると前記アラーム報知条件記憶手段に記憶された特定日のアラーム報知条件を設定するアラーム設定手段とを具備することを特徴とする。
【００１０】
上記発明によれば、アラーム報知条件をカレンダー上の平日と特定日とに分類して複数記憶する。表示されたカレンダーより所望の日付を選択し、選択された日付を平日若しくは特定日に設定する。所望の日付が平日に選択されると前記記憶された平日のアラーム報知条件を設定する一方、特定日に選択されると前記前記記憶された特定日のアラーム報知条件を設定する。
【００１１】
請求項２の発明は、アラーム報知条件を平日と特定日とに分類して複数記憶するアラーム報知条件記憶手段と、各曜日を表示する曜日手段と、該表示手段により表示された各曜日付て平日か若しくは特定日かを選択する選択手段と、該選択手段によって平日に選択された曜日を前記アラーム報知条件記憶手段に記憶された平日のアラーム報知条件で報知するように設定する一方、特定日に選択された曜日を前記アラーム報知条件記憶手段に記憶された特定日のアラーム報知条件で報知するように設定するアラーム設定手段とを具備することを特徴とする。
【００１２】
上記発明によれば、アラーム報知条件を平日と特定日とに分類して複数記憶する。表示された各曜日付て平日か若しくは特定日かを選択し、平日に選択された曜日を前記記憶された平日のアラーム報知条件で報知するように設定する一方、特定日に選択された曜日を前記記憶された特定日のアラーム報知条件で報知するように設定する。
【００１３】
請求項３の発明は、アラーム報知条件を平日と特定日とに分類して複数記憶するメモリを備えた電子機器のアラーム設定方法であって、カレンダーを表示部に表示させる表示ステップと、該表示ステップにて表示されたカレンダーより所望の日付を選択する日付選択ステップと、該日付選択ステップにて選択された日付を平日若しくは特定日に設定する設定ステップと、該設定ステップにて平日に選択されると、前記メモリに記憶された平日のアラーム報知条件を設定する一方、特定日に選択されると前記メモリに記憶された特定日のアラーム報知条件を設定するアラーム設定ステップとからなることを特徴とする。
【００１４】
上記発明によれば、アラーム報知条件をカレンダー上の平日と特定日とに分類して複数記憶する。表示されたカレンダーより所望の日付を選択し、選択された日付を平日若しくは特定日に設定する。所望の日付が平日に選択されると前記記憶された平日のアラーム報知条件を設定する一方、特定日に選択されると前記前記記憶された特定日のアラーム報知条件を設定する。
【００１５】
請求項４の発明は、アラーム報知条件を平日と特定日とに分類して複数記憶するメモリを備えた電子機器のアラーム設定方法であって、各曜日を表示部に表示させる表示ステップと、該表示ステップにて表示された各曜日付て平日か若しくは特定日かを選択する選択ステップと、該選択ステップにて平日に選択された曜日を前記メモリに記憶された平日のアラーム報知条件で報知するように設定する一方、特定日に選択された曜日を前記メモリに記憶された特定日のアラーム報知条件で報知するように設定するアラーム設定ステップとからなることを特徴とする。
【００１６】
上記発明によれば、アラーム報知条件を平日と特定日とに分類して複数記憶する。表示された各曜日付て平日か若しくは特定日かを選択し、平日に選択された曜日を前記記憶された平日のアラーム報知条件で報知するように設定する一方、特定日に選択された曜日を前記記憶された特定日のアラーム報知条件で報知するように設定する。
【００１７】
【発明の実施の形態】
以下、本発明の実施の形態を図面に基づいて説明する。図１は、本発明の一実施の形態に係る携帯電話機の外観構成例を示した平面図と背面図である。図１（ａ）は前記携帯電話機の平面図である。携帯電話機１は、図形や画像などの各種情報を表示する液晶の表示部１１、各種情報の入力や機能指示などを行うキー操作部１２、送話音声を集音するマイク１３、受話音声を出力するスピーカ１４、着信或いは警告などを報知する報知用ＬＥＤ１５、携帯用の無線プロトコルで使用する周波数帯に対応する通信用のアンテナ１６、照明用の高輝度指向性ライト１７を有している。また、図１（ｂ）は前記携帯電話機の背面図であり、着信音、警告音及び時刻アラームを報知するメロディー等を出力する報知スピーカ１８を有している。
【００１８】
図２は、図１に示した携帯電話機１の回路構成例を示した回路図である。携帯電話機１の回路は、携帯電話機の各種動作及び全体の動作を制御する制御部２１、形態電話機能に必要な各種データを記憶し且つ、制御部２１が動作する上で必要なデータを記憶するＲＡＭ２２、制御部２１を制御する各種プログラムなどを記憶するシステムＲＯＭ２３、キー操作部１２のキー押下情報を入力するキー入力部２４、表示部１１を駆動して各種情報を表示させる表示ドライバ２５、各種の音声信号を生成して報知スピーカ１８より出力する音源回路部２６、報知用ＬＥＤ１５及び着信を振動で知らせる振動発生器２７を駆動するドライバ２８、アンテナ１６を介して基地局（不図示）と無線により音声やデータを送受する無線送受信部２９、無線送受信部２９で受信した音声やデータを復調し、或いは無線送受信部２９から送信する音声やデータを変調するなどの無線通信に必要な処理をする無線信号処理部３０、マイク１３から入力された音声信号を符号化処理したり、或いは受話音声信号を復号化する音声信号処理部３１、ユーザによる各種の設定情報などを記憶する書き替え可能なＲＯＭ（フラッシュＲＯＭ）３２を有し、これら部品がバス５０により相互に接続されている。
【００１９】
尚、制御部２１は日時情報を発生する時計部２２１を内蔵し、ここで言う日時情報は年、月、日、曜日、時刻のことである。
【００２０】
図３は図２に示したＲＯＭ３２に設定されたカレンダー情報記憶領域３００の構成例を示した模式図である。カレンダー情報記憶領域３００は、図中左欄から、年、月、日の情報を格納する領域４１、４２、４３があり、更に、曜日に対応するアドレスを格納する領域４４がある。このアドレス格納領域４４に対応するフラグＡ（平日設定）、フラグＢ（特定日（休日）設定）を立てる領域４５、４６がある。例えば、２００２年、７月、１日は００１（月曜日）で、フラグＡが立っている。
【００２１】
尚、フラグＡ領域４５には、平日アラームを設定する場合に“１”がセットされ、フラグＡが立った状態になり、フラグＢ領域４６には、休日アラームを設定する場合に“１”がセットされてフラグＢが立った状態になる。また、カレンダー情報記憶領域３００のデフォルト値は休日は予め決められた土、日、祝日で、平日はそれ以外の日であるとする。
【００２２】
図４は図２に示したＲＯＭ３２に記憶されている曜日に対応したアドレスを示した図である。日曜日、月曜日、火曜日、水曜日、木曜日、金曜日、土曜日に対応したアドレスは、それぞれ“０００”、“００１”、“０１０”、“０１１”、“１００”、“１０１”、“１１０”である。
【００２３】
図５は図２に示したＲＯＭ３２に設定されているアラーム設定領域３０１の構成例を示した模式図である。アラーム設定領域３０１は、フラグを格納する領域５１、各フラグが平日、休日（特定日）のどちらに対応しているかを設定する領域５２、時刻アラームを報知する時刻を格納する領域５３、時刻アラームとして鳴らすメロディーを呼び出すアドレスが格納されている領域５４、スヌーズのＯＮ、ＯＦＦを示すフラグＣの設定領域５５、アラーム優先か否か（ＯＮ、ＯＦＦ）を示すフラグＤの設定領域５６，コメントを設定する領域５７が複数組設けられている。
【００２４】
上記アラーム設定領域３０１には、フラグＡとフラグＢにより、そのフラグに対応する図３に示したカレンダー情報記憶領域３００の曜日が平日設定であるか、休日設定であるかを区別し、平日設定及び休日設定のそれぞれの場合に対してアラーム設定時刻、時刻アラームを報知するメロディーを指定するアドレス、フラグＣによるスヌーズ設定のＯＮ／ＯＦＦ、フラグＤによるアラーム優先のＯＮ／ＯＦＦ及び最後にコメントが設定される。
【００２５】
次に本実施の形態の時刻アラーム設定動作について図６のフローを参照して説明する。上記の携帯電話機１の待受け画面が例えば図７に示すようにカレンダーを表示する設定であると、時刻アラーム設定のスタート時、表示部１１は図７に示すようなカレンダー表示画面となっている。その後、ユーザは時刻アラーム設定を行うためにキー操作部１２のサブメニューキー１２１を押下する。制御部２１はステップＳ１でサブメニューキー１２１の押下操作を検出したかどうかを判定し、検出しない場合はリターンし、検出した場合はステップＳ２に進む。
【００２６】
尚、携帯電話機１の待受け画面が上記したカレンダー画面の表示設定でない場合、ユーザによるキー操作部１２の操作により装置をカレンダー設定モードにすると、図７に示すようなカレンダーを表示画面になる。
【００２７】
ステップＳ２に進むと、制御部２１は表示ドライバ２５を介して表示部１１に図８に示すようなサブメニュー画面を表示する。この表示はステップＳ３でユーザによるキー操作部１２のキー操作によって休日設定が検出されたと判定されるまで行われ、休日設定が検出された場合はステップＳ４に進んで、表示部１１に図９に示すような休日設定メニューが表示される。その後、ステップＳ５では、表示された休日設定メニューをユーザが見て、カレンダー設定を選択したか、曜日一括設定を選択したかを判定し、曜日一括設定を選択した場合はステップＳ１６に進み、カレンダー設定を選択した場合はステップＳ６に進む。
【００２８】
ステップＳ６に進んだ場合、表示部１１に１ヶ月のカレンダーが表示される。ユーザはこのカレンダー表示画面を見て、時刻アラームを設定する日付をセンターキーＣを操作して指定するため、ステップＳ７で、ユーザによる日付の指定が検出されるまで、１ヶ月のカレンダーが表示される。
【００２９】
ユーザによって時刻アラームを設定する日付が指定されると、制御部２１はステップＳ８で、図１０に示すような当日アラーム設定内容が表示部１１に表示される。ユーザはこの当日アラーム設定内容画面を見て、設定を変えたい場合はキー操作部１２を操作して編集指示を入力するため、制御部２１はステップＳ９で編集指示が検出されたかどうかを判定し、検出された場合はステップＳ１０に進み、検出されない場合はステップＳ１４に進む。
【００３０】
ステップＳ１０に進んだ場合、表示部１１に編集画面が表示されるため、ユーザはその日を平日設定から休日設定に変更したり、アラーム設定時刻、メロディーの種類、スヌーズのＯＮ、ＯＦＦ、アラーム優先のＯＮ、ＯＦＦ、或いはコメントに対する変更設定を行う。これを受けてステップＳ１１では休日設定に変更になったどうかを判定し、そうでない場合はステップＳ１５に進み、休日設定に変更になった場合はステップＳ１２に進んで、ＲＯＭ３２の図３に示したカレンダー情報記憶領域３００のフラグを書き換える。
【００３１】
カレンダー情報記憶領域３００において、上記休日設定に変更した日付が例えば２００２年７月３日（水）である場合、制御部２１はＲＯＭ３２のカレンダー情報記憶領域３００にアクセスして、フラグＡの“１”を“０”にし、フラグＢの“０”を“１”にして、この日を休日設定にする。その後、ステップＳ１３で編集が終了したかどうかを判定し、終了していない場合はステップＳ１０の処理に戻り、終了した場合はステップＳ８の処理に戻る。編集を終了してステップＳ８の処理に戻った場合、表示部１１に表示される編集画面は図１１に示すように休日設定に変更されている。
【００３２】
一方、ステップＳ１４に進んだ場合、ここで、ユーザのキー操作による編集キャンセルが検出されたかどうかを判定し、キャンセルが検出されない場合はステップＳ８に戻り、キャンセルが検出された場合はリターンし、当初のカレンダー表示状態になる。
【００３３】
一方、曜日一括設定が選択されて、ステップＳ１６に進んだ場合、図１２に示すように一週間分のアラーム設定内容が表示部１１に表示される。この一週間分のアラーム設定内容は、日曜日から土曜日までの曜日毎に、平日設定か、休日設定かを一括で設定できるようになっている。ユーザはこの一週間分のアラーム設定内容を見て、キー操作部１２のセンターキーＣを用いて各曜日について平日設定か、休日設定かを指定する。
【００３４】
これにより、ステップＳ１７では、ユーザの設定が反映した設定内容画面が図１３に示すように表示される。この画面の例では、日曜日を平日に設定し、水曜と木曜日を休日に設定している。ユーザは設定が終了するとセンターキーＣを用いて、決定指示を出す。これを受けて、制御部２１はステップＳ１８にて決定指示を検出したかどうかを判定し、決定指示を検出した場合はステップＳ１９でＲＯＭ３２の図１４に示したカレンダー情報記憶領域３００のフラグを上記設定にしたがって書き換えた後、ステップＳ１６の処理に戻り、表示部１１には設定後の一週間分のアラーム設定内容が表示される。
【００３５】
ここで、図１４のカレンダー情報記憶領域３００では図１３で示した設定内容画面に対応して、対応アドレス００１、すなわち毎週日曜日（２００２年７月７日）にフラグＡが立って平日設定に、対応アドレス０１１、すなわち毎週水曜日（２００２年７月３日、７月１０日）と、対応アドレス１００、すなわち木曜日（２００２年７月４日、７月１１日）にフラグＢが立って休日設定になるように変更されている。
【００３６】
一方、ステップＳ１８でユーザによる決定指示を検出しない場合は、ステップＳ２０でユーザによるキャンセルを検出したがどうかを判定し、キャンセルを検出しない場合はステップＳ１６の処理に戻り、表示部１１には一週間分のアラーム設定内容画面が表示される。キャンセルが検出された場合はリターンし、当初のカレンダー表示状態になる。
【００３７】
尚、上記フローチャートで触れていないが、曜日毎に一括で平日設定と、休日設定を行った後、平日設定と休日設定の各々についてアラーム設定時刻、メロディーの種類、スヌーズＯＮ、ＯＦＦ、アラーム優先ＯＮ、ＯＦＦ、或いはコメントに関する設定が行われる。このアラーム設定情報は、ＲＯＭ３２の図５に示したアラーム設定領域３０１に平日設定と休日設定を区別して格納される。
【００３８】
図５の例では、平日設定の時は、アラーム設定時刻が６時００分で、メロディーアドレス格納アドレスが“０１”、スヌーズ設定とアラーム優先がＯＦＦになっていて、コメントが「朝目覚ましだよ」になっている。休日設定の時は、アラーム設定時刻が９時３０分で、メロディーアドレス格納アドレスが“０２”、スヌーズ設定とアラーム優先がＯＦＦになっていて、コメントが「朝目覚ましだよ」になっている。従って、平日設定と休日設定では、アラーム報知時刻が異なるのと、鳴動する時刻アラームのメロディーが異なる設定になっている。
【００３９】
上記のような時刻アラーム設定がなされると、制御部２１は図１５に示すようなフローにより時刻アラームの報知処理を行う。制御部２１はステップＳ３１で、時計部２１１から発生される現在の日時情報から月日時刻を計測し、ステップＳ３２で、計測した月日時刻が時刻アラームの報知条件（アラーム報知時刻）に一致するかどうかを判定し、一致しない場合はステップＳ３１の処理に戻る。計測した月日時刻が時刻アラームの報知条件に一致する場合は、ステップＳ３３に進み、設定されたメロディーを報知スピーカ１８から鳴らして時刻アラームを報知する。
【００４０】
例えば、２００２年の７月３日、制御部２１は図１４のカレンダー情報記憶領域３００を参照し、フラグＢが立っているので休日設定であることを認識する。その後、制御部２１は時計部２２１の現在時刻が図５に示したアラーム設定領域３０１の休日設定のアラーム設定時刻９時３０分（時刻アラーム報知条件）になると、ＲＯＭ３２のメロディー格納領域（不図示）の０２アドレスのメロディー情報を読み出してきて、これを音源回路部２６に与える。これにより、報知スピーカ１８から指定のメロディーが出力されて、時刻アラームが報知される。
【００４１】
本実施の形態によれば、カレンダー上の任意の日付を平日か、休日のいずれかに任意に設定することができるため、カレンダー上で予め決められた土曜日、日曜日、祝日、及び祭日以外の日を任意に休日設定でき、この日に休日設定の場合の時刻アラーム報知条件により時刻アラームを容易に報知させることができる。また、カレンダー上で予め決められた土曜日、日曜日、祝日、及び祭日を任意にに平日設定でき、この日に平日設定の場合の時刻アラーム報知条件により時刻アラームを容易に報知させることができる。これにより、例外的な休日や例外的な平日が発生する場合でも、カレンダーに平日情報、休日情報が登録されていれば、ユーザがその都度時刻アラームの設定を変更し直すような手間は必要ないという利点がある。
【００４２】
尚、上記実施の形態で説明したアラーム設定動作をプログラムとしてプログラム化し、コンピュータに実行させることにより実施できる。その際、コンピュータプログラムはフロッピー（登録商標）ディスクやハードディスク等のディスク型記録媒体、半導体メモリやカード型メモリ等の各種メモリ、或いは通信ネットワーク等の各種プログラム記録媒体を通じてコンピュータに供給することができる。
【００４３】
また、本発明は上記実施の形態に限定されることなく、その要旨を逸脱しない範囲において、具体的な構成、機能、作用、効果において、他の種々の形態によっても実施することができる。上記実施の形態ではカレンダー機能を有する携帯電話機について説明したが、携帯電話機以外のＰＤＡや或いは携帯電子辞書などの各種の電子機器でカレンダー機能を有するものがあれば、本発明を適用して同様の効果を得ることができる。
【００４４】
【発明の効果】
以上詳細に説明したように、請求項１、３に記載の発明によれば、カレンダー上で予め決められた平日、休日に拘りなく、任意の日付を個人的に決めた平日、休日に設定することができ、以降、この設定した平日、休日を区別して時刻アラーム報知条件を設定することができる。
請求項２、４に記載の発明によれば、カレンダー上で予め決められた平日、休日に拘りなく、１週間分の各曜日毎に個人的に決めた平日、休日に一括して設定することができ、以降、この設定した平日、休日を区別して時刻アラーム報知条件を設定することができる。
【図面の簡単な説明】
【図１】本発明の一実施の形態に係る携帯電話機の外観構成例を示した平面図と背面図である。
【図２】図１に示した携帯電話機の回路構成例を示した回路図である。
【図３】図２に示したＲＯＭ３２に設定されたカレンダー情報記憶領域の構成例を示した模式図である。
【図４】図２に示したＲＯＭ３２に記憶されている曜日と対応アドレスとの関係を示した図である。
【図５】図２に示したＲＯＭ３２に設定されているアラーム設定領域の構成例を示した模式図である。
【図６】図１、２に示した装置のアラーム設定動作処理を示したフローチャートである。
【図７】図２に示した表示部に表示されるカレンダー表示画面例を示した図である。
【図８】図２に示した表示部に表示されるサブメニュー画面例を示した図である。
【図９】図２に示した表示部に表示される休日設定画面例を示した図である。
【図１０】図２に示した表示部に表示されるアラーム設定内容表示画面例を示した図である。
【図１１】図２に示した表示部に表示される編集後のアラーム設定内容表示画面例を示した図である。
【図１２】図２に示した表示部に表示される一週間分のアラーム設定内容表示画面例を示した図である。
【図１３】図２に示した表示部に表示される設定後の一週間分のアラーム設定内容表示画面例を示した図である。
【図１４】図２に示したＲＯＭ３２に設定されたカレンダー情報記憶領域３００のフラグ書き換え後の構成例を示した模式図である。
【図１５】図１、２に示した装置のアラーム報知動作処理を示したフローチャートである。
【符号の説明】
１　携帯電話機
１１　表示部
１２　キー操作部
１３　マイク
１４　スピーカ
１５　報知用ＬＥＤ
１６　アンテナ
１８　報知スピーカ
２１　制御部
２２　ＲＡＭ
２３　システムＲＯＭ
２４　キー入力部
２５　表示ドライバ
２６　音源回路部
２９　無線送受信部
３０　無線信号処理部
２８、３５　ドライバ
３２　ＲＯＭ（フラッシュＲＯＭ）
１２１　サブメニューキー
３００　カレンダー情報記憶領域
３０１　アラーム設定領域
Ｃ　センターキー
【図１】
2004093340.tif 000003
【図２】
2004093340.tif 000004
【図３】
2004093340.tif 000005
【図４】
2004093340.tif 000006
【図５】
2004093340.tif 000007
【図６】
2004093340.tif 000008
【図７】
2004093340.tif 000009
【図８】
2004093340.tif 000010
【図９】
2004093340.tif 000011
【図１０】
2004093340.tif 000012
【図１１】
2004093340.tif 000013
【図１２】
2004093340.tif 000014
【図１３】
2004093340.tif 000015
【図１４】
2004093340.tif 000016
【図１５】
2004093340.tif 000017